(57)【要約】  電動機のフェール時における好適な退避走行を実現するハイブリッド車両の駆動制御装置を提供する。  第１電動機ＭＧ１又は第２電動機ＭＧ２のフェール時において、第１電動機ＭＧ１及び第２電動機ＭＧ２のうちフェールしていない方の電動機ＭＧにより走行用の駆動力を発生させる走行制御と、その電動機ＭＧにより駆動用バッテリであるバッテリ５５の充電を行う充電制御とを、交互に繰り返すものであることから、第１電動機ＭＧ１又は第２電動機ＭＧ２にフェールが発生した場合においても十分な駆動力が得られることに加え、バッテリ５５の充電量を適宜確保できる。
2013140541.tif 000002
【特許請求の範囲】
【請求項１】
全体として４つの回転要素を有する第１差動機構及び第２差動機構と、該４つの回転要素にそれぞれ連結されたエンジン、第１電動機、第２電動機、及び出力回転部材とを、備え、
前記４つの回転要素のうちの１つは、前記第１差動機構の回転要素と前記第２差動機構の回転要素とがクラッチを介して選択的に連結され、
該クラッチによる係合対象となる前記第１差動機構又は前記第２差動機構の回転要素が、非回転部材に対してブレーキを介して選択的に連結され、
前記クラッチ及びブレーキの係合乃至解放の組み合わせに応じて複数の走行モードを選択的に成立させるハイブリッド車両の駆動制御装置であって、
前記第１電動機又は第２電動機のフェール時において、前記第１電動機及び第２電動機のうちフェールしていない方の電動機により走行用の駆動力を発生させる走行制御と、該電動機により駆動用バッテリの充電を行う充電制御とを、交互に繰り返すことを特徴とするハイブリッド車両の駆動制御装置。
【請求項２】
前記駆動用バッテリの充電量に応じて前記走行制御と前記充電制御とを切り替えるものである請求項１に記載のハイブリッド車両の駆動制御装置。
【請求項３】
前記第１電動機のフェール時において、前記駆動用バッテリの充電量が規定の閾値未満である場合には、前記クラッチを係合させると共に前記ブレーキを解放させ、前記エンジン及び前記第２電動機により前記駆動用バッテリの充電を行うものである請求項２に記載のハイブリッド車両の駆動制御装置。
【請求項４】
前記第１電動機のフェール時において、前記駆動用バッテリの充電量が規定の閾値以上である場合には、前記ブレーキを係合させ、前記第２電動機により走行用の駆動力を発生させるものである請求項２に記載のハイブリッド車両の駆動制御装置。
【請求項５】
前記第２電動機のフェール時において、前記駆動用バッテリの充電量が規定の閾値未満である場合には、前記エンジン及び前記第１電動機により前記駆動用バッテリの充電を行うものである請求項２に記載のハイブリッド車両の駆動制御装置。
【請求項６】
前記第２電動機のフェール時において、前記駆動用バッテリの充電量が規定の閾値以上である場合には、前記クラッチ及びブレーキを共に係合させ、前記第１電動機により走行用の駆動力を発生させるものである請求項２に記載のハイブリッド車両の駆動制御装置。
【請求項７】
前記第１電動機又は第２電動機のフェール時には、車内に備えられた表示装置に前記走行制御及び充電制御に係る指示情報を表示させるものである請求項１から６の何れか１項に記載のハイブリッド車両の駆動制御装置。
【請求項８】
前記充電制御時には、停車して充電完了まで待機する旨の指示情報を前記表示装置に表示させるものである請求項７に記載のハイブリッド車両の駆動制御装置。
【請求項９】
前記走行制御時には、車両の走行が可能である旨の指示情報を前記表示装置に表示させるものである請求項７に記載のハイブリッド車両の駆動制御装置。
【請求項１０】
前記第１差動機構は、前記第１電動機に連結された第１回転要素、前記エンジンに連結された第２回転要素、及び前記出力回転部材に連結された第３回転要素を備えたものであり、
前記第２差動機構は、前記第２電動機に連結された第１回転要素、第２回転要素、及び第３回転要素を備え、それら第２回転要素及び第３回転要素の何れか一方が前記第１差動機構における第３回転要素に連結されたものであり、
前記クラッチは、前記第１差動機構における第２回転要素と、前記第２差動機構における第２回転要素及び第３回転要素のうち前記第１差動機構における第３回転要素に連結されていない方の回転要素とを選択的に係合させるものであり、
前記ブレーキは、前記第２差動機構における第２回転要素及び第３回転要素のうち前記第１差動機構における第３回転要素に連結されていない方の回転要素を、前記非回転部材に対して選択的に係合させるものである
請求項１から９の何れか１項に記載のハイブリッド車両の駆動制御装置。
【発明の詳細な説明】
【技術分野】
【０００１】
本発明は、ハイブリッド車両の駆動制御装置の改良に関する。
【背景技術】
【０００２】
内燃機関等のエンジンに加えて、駆動源として機能する少なくとも１つの電動機を備えたハイブリッド車両が知られている。例えば、特許文献１に記載された車両がそれである。この技術によれば、内燃機関、第１電動機、及び第２電動機を備えたハイブリッド車両において、前記内燃機関の出力軸を非回転部材に対して固定するブレーキを備え、車両の走行状態に応じてそのブレーキの係合状態を制御することで、車両のエネルギ効率を向上させると共に運転者の要求に応じた走行を実現できる。
【先行技術文献】
【特許文献】
【０００３】
【特許文献１】特開２００８−２６５６００号公報
【特許文献２】特許第４０３８１８３号公報
【発明の概要】
【発明が解決しようとする課題】
【０００４】
しかし、前記従来の技術において、前記第２電動機にフェールが発生した場合には、前記エンジンの直達トルクを前記第１電動機で受けることにより退避走行を実現していたが、駆動用バッテリの充電容量の制約等から高出力でエンジンを駆動できず、十分な駆動力が得られないという不具合があった。一方、前記第１電動機にフェールが発生した場合には、その第１電動機により前記駆動用バッテリの充電を行うことができず、特にその駆動用バッテリの充電量が不足している場合に好適な退避走行を実現できなかった。このような課題は、ハイブリッド車両の性能向上を意図して本発明者等が鋭意研究を続ける過程において新たに見出したものである。【０００５】
本発明は、以上の事情を背景として為されたものであり、その目的とするところは、電動機のフェール時における好適な退避走行を実現するハイブリッド車両の駆動制御装置を提供することにある。
【課題を解決するための手段】
【０００６】
斯かる目的を達成するために、本第１発明の要旨とするところは、全体として４つの回転要素を有する第１差動機構及び第２差動機構と、それら４つの回転要素にそれぞれ連結されたエンジン、第１電動機、第２電動機、及び出力回転部材とを、備え、前記４つの回転要素のうちの１つは、前記第１差動機構の回転要素と前記第２差動機構の回転要素とがクラッチを介して選択的に連結され、そのクラッチによる係合対象となる前記第１差動機構又は前記第２差動機構の回転要素が、非回転部材に対してブレーキを介して選択的に連結され、前記クラッチ及びブレーキの係合乃至解放の組み合わせに応じて複数の走行モードを選択的に成立させるハイブリッド車両の駆動制御装置であって、前記第１電動機又は第２電動機のフェール時において、前記第１電動機及び第２電動機のうちフェールしていない方の電動機により走行用の駆動力を発生させる走行制御と、その電動機により駆動用バッテリの充電を行う充電制御とを、交互に繰り返すことを特徴とするものである。
【発明の効果】
【０００７】
このように、前記第１発明によれば、全体として４つの回転要素を有する第１差動機構及び第２差動機構と、それら４つの回転要素にそれぞれ連結されたエンジン、第１電動機、第２電動機、及び出力回転部材とを、備え、前記４つの回転要素のうちの１つは、前記第１差動機構の回転要素と前記第２差動機構の回転要素とがクラッチを介して選択的に連結され、そのクラッチによる係合対象となる前記第１差動機構又は前記第２差動機構の回転要素が、非回転部材に対してブレーキを介して選択的に連結され、前記クラッチ及びブレーキの係合乃至解放の組み合わせに応じて複数の走行モードを選択的に成立させるハイブリッド車両の駆動制御装置であって、前記第１電動機又は第２電動機のフェール時において、前記第１電動機及び第２電動機のうちフェールしていない方の電動機により走行用の駆動力を発生させる走行制御と、その電動機により駆動用バッテリの充電を行う充電制御とを、交互に繰り返すものであることから、前記第１電動機又は第２電動機にフェールが発生した場合においても十分な駆動力が得られることに加え、駆動用バッテリの充電量を適宜確保できる。すなわち、電動機のフェール時における好適な退避走行を実現するハイブリッド車両の駆動制御装置を提供することができる。【０００８】
前記第１発明に従属する本第２発明の要旨とするところは、前記駆動用バッテリの充電量に応じて前記走行制御と前記充電制御とを切り替えるものである。このようにすれば、フェールしていない方の電動機により走行用の駆動力を発生させる走行制御と、その電動機により駆動用バッテリの充電を行う充電制御とを、実用的な態様で切り替えることができる。【０００９】
前記第２発明に従属する本第３発明の要旨とするところは、前記第１電動機のフェール時において、前記駆動用バッテリの充電量が規定の閾値未満である場合には、前記クラッチを係合させると共に前記ブレーキを解放させ、前記エンジン及び前記第２電動機により前記駆動用バッテリの充電を行うものである。このようにすれば、前記第１電動機のフェール時において駆動用バッテリの充電量が不足している場合に、その充電量を実用的な態様で好適に確保できる。【００１０】
前記第２発明に従属する本第４発明の要旨とするところは、前記第１電動機のフェール時において、前記駆動用バッテリの充電量が規定の閾値以上である場合には、前記ブレーキを係合させ、前記第２電動機により走行用の駆動力を発生させるものである。このようにすれば、前記第１電動機のフェール時における退避走行において、実用的な態様で十分な駆動力が得られる。【００１１】
前記第２発明に従属する本第５発明の要旨とするところは、前記第２電動機のフェール時において、前記駆動用バッテリの充電量が規定の閾値未満である場合には、前記エンジン及び前記第１電動機により前記駆動用バッテリの充電を行うものである。このようにすれば、前記第２電動機のフェール時において駆動用バッテリの充電量が不足している場合に、その充電量を実用的な態様で好適に確保できる。【００１２】
前記第２発明に従属する本第６発明の要旨とするところは、前記第２電動機のフェール時において、前記駆動用バッテリの充電量が規定の閾値以上である場合には、前記クラッチ及びブレーキを共に係合させ、前記第１電動機により走行用の駆動力を発生させるものである。このようにすれば、前記第２電動機のフェール時における退避走行において、実用的な態様で十分な駆動力が得られる。【００１３】
前記第１発明、第２発明、第３発明、第４発明、第５発明、乃至第６発明に従属する本第７発明の要旨とするところは、前記第１電動機又は第２電動機のフェール時には、車内に備えられた表示装置に前記走行制御及び充電制御に係る指示情報を表示させるものである。このようにすれば、前記第１電動機又は第２電動機にフェールが発生した場合において、運転者がとるべき操作等を好適に指示することができる。【００１４】
前記第１発明に従属する第７発明、第２発明に従属する第７発明、第３発明に従属する第７発明、第４発明に従属する第７発明、第５発明に従属する第７発明、乃至第６発明に従属する第７発明に従属する本第８発明の要旨とするところは、前記充電制御時には、停車して充電完了まで待機する旨の指示情報を前記表示装置に表示させるものである。このようにすれば、前記第１電動機又は第２電動機にフェールが発生した場合において、前記駆動用バッテリの充電量が不足している場合に運転者がとるべき操作等を好適に指示することができる。【００１５】
前記第１発明に従属する第７発明、第２発明に従属する第７発明、第３発明に従属する第７発明、第４発明に従属する第７発明、第５発明に従属する第７発明、乃至第６発明に従属する第７発明に従属する本第９発明の要旨とするところは、前記走行制御時には、車両の走行が可能である旨の指示情報を前記表示装置に表示させるものである。このようにすれば、前記第１電動機又は第２電動機にフェールが発生した場合において、退避走行が可能である旨を好適に指示することができる。【００１６】
前記第１発明、第２発明、第３発明、第４発明、第５発明、第６発明、第１発明に従属する第７発明、第２発明に従属する第７発明、第３発明に従属する第７発明、第４発明に従属する第７発明、第５発明に従属する第７発明、第６発明に従属する第７発明、第１発明に従属する第７発明に従属する第８発明、第２発明に従属する第７発明に従属する第８発明、第３発明に従属する第７発明に従属する第８発明、第４発明に従属する第７発明に従属する第８発明、第５発明に従属する第７発明に従属する第８発明、第６発明に従属する第７発明に従属する第８発明、第１発明に従属する第７発明に従属する第９発明、第２発明に従属する第７発明に従属する第９発明、第３発明に従属する第７発明に従属する第９発明、第４発明に従属する第７発明に従属する第９発明、第５発明に従属する第７発明に従属する第９発明、乃至第６発明に従属する第７発明に従属する第９発明に従属する本第１０発明の要旨とするところは、前記第１差動機構は、前記第１電動機に連結された第１回転要素、前記エンジンに連結された第２回転要素、及び前記出力回転部材に連結された第３回転要素を備えたものであり、前記第２差動機構は、前記第２電動機に連結された第１回転要素、第２回転要素、及び第３回転要素を備え、それら第２回転要素及び第３回転要素の何れか一方が前記第１差動機構における第３回転要素に連結されたものであり、前記クラッチは、前記第１差動機構における第２回転要素と、前記第２差動機構における第２回転要素及び第３回転要素のうち前記第１差動機構における第３回転要素に連結されていない方の回転要素とを選択的に係合させるものであり、前記ブレーキは、前記第２差動機構における第２回転要素及び第３回転要素のうち前記第１差動機構における第３回転要素に連結されていない方の回転要素を、前記非回転部材に対して選択的に係合させるものである。このようにすれば、実用的なハイブリッド車両の駆動装置において、電動機のフェール時における好適な退避走行を実現することができる。
【図面の簡単な説明】
【００１７】
【図１】本発明が好適に適用されるハイブリッド車両用駆動装置の構成を説明する骨子図である。
【図２】図１の駆動装置の駆動を制御するために備えられた制御系統の要部を説明する図である。
【図３】図１の駆動装置において成立させられる５種類の走行モードそれぞれにおけるクラッチ及びブレーキの係合状態を示す係合表である。
【図４】図１の駆動装置において各回転要素の回転速度の相対関係を直線上で表すことができる共線図であり、図３のモード１、３に対応する図である。
【図５】図１の駆動装置において各回転要素の回転速度の相対関係を直線上で表すことができる共線図であり、図３のモード２に対応する図である。
【図６】図１の駆動装置において各回転要素の回転速度の相対関係を直線上で表すことができる共線図であり、図３のモード４に対応する図である。
【図７】図１の駆動装置において各回転要素の回転速度の相対関係を直線上で表すことができる共線図であり、図３のモード５に対応する図である。
【図８】図２の電子制御装置に備えられた制御機能の要部を説明する機能ブロック線図である。
【図９】図１の駆動装置において各回転要素の回転速度の相対関係を直線上で表すことができる共線図であり、第１電動機フェール時の発電制御に相当する。
【図１０】図１の駆動装置において各回転要素の回転速度の相対関係を直線上で表すことができる共線図であり、第１電動機フェール時の走行制御に相当する。
【図１１】図１の駆動装置において各回転要素の回転速度の相対関係を直線上で表すことができる共線図であり、第２電動機フェール時の発電制御に相当する。
【図１２】図１の駆動装置において各回転要素の回転速度の相対関係を直線上で表すことができる共線図であり、第２電動機フェール時の走行制御に相当する。
【図１３】図２の電子制御装置による退避走行制御の一例の要部を説明するフローチャートである。
【図１４】本発明が好適に適用される他のハイブリッド車両用駆動装置の構成を説明する骨子図である。
【図１５】本発明が好適に適用される更に別のハイブリッド車両用駆動装置の構成を説明する骨子図である。
【図１６】本発明が好適に適用される更に別のハイブリッド車両用駆動装置の構成を説明する骨子図である。
【図１７】本発明が好適に適用される更に別のハイブリッド車両用駆動装置の構成を説明する骨子図である。
【図１８】本発明が好適に適用される更に別のハイブリッド車両用駆動装置の構成を説明する骨子図である。
【図１９】本発明が好適に適用される更に別のハイブリッド車両用駆動装置の構成を説明する骨子図である。
【図２０】本発明が好適に適用される更に別のハイブリッド車両用駆動装置の構成を説明する骨子図である。
【図２１】図２の電子制御装置による退避走行制御の他の一例の要部を説明するフローチャートである。
【図２２】本発明が好適に適用される更に別のハイブリッド車両用駆動装置の構成及び作動をそれぞれ説明する共線図である。
【図２３】本発明が好適に適用される更に別のハイブリッド車両用駆動装置の構成及び作動をそれぞれ説明する共線図である。
【図２４】本発明が好適に適用される更に別のハイブリッド車両用駆動装置の構成及び作動をそれぞれ説明する共線図である。
【発明を実施するための形態】
【００１８】
本発明において、前記第１差動機構及び第２差動機構は、前記クラッチが係合された状態において全体として４つの回転要素を有するものである。また、好適には、前記第１差動機構及び第２差動機構の要素相互間に前記クラッチに加え他のクラッチを備えた構成において、前記第１差動機構及び第２差動機構は、それら複数のクラッチが係合された状態において全体として４つの回転要素を有するものである。換言すれば、本発明は、共線図上において４つの回転要素として表される第１差動機構及び第２差動機構と、それら４つの回転要素にそれぞれ連結されたエンジン、第１電動機、第２電動機、及び出力回転部材とを、備え、前記４つの回転要素のうちの１つは、前記第１差動機構の回転要素と前記第２差動機構の回転要素とがクラッチを介して選択的に連結され、そのクラッチによる係合対象となる前記第１差動機構又は前記第２差動機構の回転要素が、非回転部材に対してブレーキを介して選択的に連結されるハイブリッド車両の駆動制御装置に好適に適用されるものである。
【００１９】
前記クラッチ及びブレーキは、好適には、何れも油圧に応じて係合状態が制御される（係合乃至解放させられる）油圧式係合装置であり、例えば、湿式多板型の摩擦係合装置等が好適に用いられるが、噛合式の係合装置すなわち所謂ドグクラッチ（噛合クラッチ）であってもよい。或いは、電磁式クラッチや磁粉式クラッチ等、電気的な指令に応じて係合状態が制御される（係合乃至解放させられる）ものであってもよい。
【００２０】
本発明が適用される駆動装置においては、前記クラッチ及びブレーキの係合状態等に応じて、複数の走行モードの何れかが選択的に成立させられる。好適には、前記エンジンの運転が停止させられると共に、前記第１電動機及び第２電動機の少なくとも一方を走行用の駆動源として用いるＥＶ走行モードにおいて、前記ブレーキが係合されると共に前記クラッチが解放されることでモード１が、前記ブレーキ及びクラッチが共に係合されることでモード２がそれぞれ成立させられる。前記エンジンを駆動させると共に、前記第１電動機及び第２電動機により必要に応じて駆動乃至発電等を行うハイブリッド走行モードにおいて、前記ブレーキが係合されると共に前記クラッチが解放されることでモード３が、前記ブレーキが解放されると共に前記クラッチが係合されることでモード４が、前記ブレーキ及びクラッチが共に解放されることでモード５がそれぞれ成立させられる。
【００２１】
本発明において、好適には、前記クラッチが係合させられ、且つ、前記ブレーキが解放させられている場合における前記第１差動機構及び第２差動機構それぞれにおける各回転要素の共線図における並び順は、前記第１差動機構及び第２差動機構それぞれにおける第２回転要素及び第３回転要素に対応する回転速度を重ねて表した場合に、前記第１差動機構における第１回転要素、前記第２差動機構における第１回転要素、前記第１差動機構における第２回転要素及び第２差動機構における第２回転要素、前記第１差動機構における第３回転要素及び第２差動機構における第３回転要素の順である。
【００２２】
以下、本発明の好適な実施例を図面に基づいて詳細に説明する。以下の説明に用いる図面において、各部の寸法比等は必ずしも正確には描かれていない。
【実施例１】
【００２３】
図１は、本発明が好適に適用されるハイブリッド車両用駆動装置１０（以下、単に駆動装置１０という）の構成を説明する骨子図である。この図１に示すように、本実施例の駆動装置１０は、例えばＦＦ（前置エンジン前輪駆動）型車両等に好適に用いられる横置き用の装置であり、主動力源であるエンジン１２、第１電動機ＭＧ１、第２電動機ＭＧ２、第１差動機構としての第１遊星歯車装置１４、及び第２差動機構としての第２遊星歯車装置１６を共通の中心軸ＣＥ上に備えて構成されている。前記駆動装置１０は、中心軸ＣＥに対して略対称的に構成されており、図１においては中心線の下半分を省略して図示している。以下の各実施例についても同様である。【００２４】
前記エンジン１２は、例えば、気筒内噴射されるガソリン等の燃料の燃焼によって駆動力を発生させるガソリンエンジン等の内燃機関である。前記第１電動機ＭＧ１及び第２電動機ＭＧ２は、好適には、何れも駆動力を発生させるモータ（発動機）及び反力を発生させるジェネレータ（発電機）としての機能を有する所謂モータジェネレータであり、それぞれのステータ（固定子）１８、２２が非回転部材であるハウジング（ケース）２６に固設されると共に、各ステータ１８、２２の内周側にロータ（回転子）２０、２４を備えて構成されている。【００２５】
前記第１遊星歯車装置１４は、ギヤ比がρ１であるシングルピニオン型の遊星歯車装置であり、第１回転要素としてのサンギヤＳ１、ピニオンギヤＰ１を自転及び公転可能に支持する第２回転要素としてのキャリアＣ１、及びピニオンギヤＰ１を介してサンギヤＳ１と噛み合う第３回転要素としてのリングギヤＲ１を回転要素（要素）として備えている。前記第２遊星歯車装置１６は、ギヤ比がρ２であるシングルピニオン型の遊星歯車装置であり、第１回転要素としてのサンギヤＳ２、ピニオンギヤＰ２を自転及び公転可能に支持する第２回転要素としてのキャリアＣ２、及びピニオンギヤＰ２を介してサンギヤＳ２と噛み合う第３回転要素としてのリングギヤＲ２を回転要素（要素）として備えている。【００２６】
前記第１遊星歯車装置１４のサンギヤＳ１は、前記第１電動機ＭＧ１のロータ２０に連結されている。前記第１遊星歯車装置１４のキャリアＣ１は、前記エンジン１２のクランク軸と一体的に回転させられる入力軸２８に連結されている。この入力軸２８は、前記中心軸ＣＥを軸心とするものであり、以下の実施例において、特に区別しない場合には、この中心軸ＣＥの軸心の方向を軸方向（軸心方向）という。前記第１遊星歯車装置１４のリングギヤＲ１は、出力回転部材である出力歯車３０に連結されると共に、前記第２遊星歯車装置１６のリングギヤＲ２と相互に連結されている。前記第２遊星歯車装置１６のサンギヤＳ２は、前記第２電動機ＭＧ２のロータ２４に連結されている。【００２７】
前記出力歯車３０から出力された駆動力は、図示しない差動歯車装置及び車軸等を介して図示しない左右一対の駆動輪へ伝達される。一方、車両の走行路面から駆動輪に対して入力されるトルクは、前記差動歯車装置及び車軸等を介して前記出力歯車３０から前記駆動装置１０へ伝達（入力）される。前記入力軸２８における前記エンジン１２と反対側の端部には、例えばベーンポンプ等の機械式オイルポンプ３２が連結されており、前記エンジン１２の駆動に伴い後述する油圧制御回路６０等の元圧とされる油圧が出力されるようになっている。このオイルポンプ３２に加えて、電気エネルギにより駆動される電動式オイルポンプが設けられたものであってもよい。【００２８】
前記第１遊星歯車装置１４のキャリアＣ１と前記第２遊星歯車装置１６のキャリアＣ２との間には、それらキャリアＣ１とＣ２との間を選択的に係合させる（キャリアＣ１とＣ２との間を断接する）クラッチＣＬが設けられている。前記第２遊星歯車装置１６のキャリアＣ２と非回転部材である前記ハウジング２６との間には、そのハウジング２６に対して前記キャリアＣ２を選択的に係合（固定）させるブレーキＢＫが設けられている。これらのクラッチＣＬ及びブレーキＢＫは、好適には、何れも油圧制御回路６０から供給される油圧に応じて係合状態が制御される（係合乃至解放させられる）油圧式係合装置であり、例えば、湿式多板型の摩擦係合装置等が好適に用いられるが、噛合式の係合装置すなわち所謂ドグクラッチ（噛合クラッチ）であってもよい。更には、電磁式クラッチや磁粉式クラッチ等、電子制御装置４０から供給される電気的な指令に応じて係合状態が制御される（係合乃至解放させられる）ものであってもよい。【００２９】
図１に示すように、前記駆動装置１０において、前記第１遊星歯車装置１４及び第２遊星歯車装置１６は、それぞれ前記入力軸２８と同軸上（中心軸ＣＥ上）に配置されており、且つ、前記中心軸ＣＥの軸方向において対向する位置に配置されている。すなわち、前記中心軸ＣＥの軸方向に関して、前記第１遊星歯車装置１４は、前記第２遊星歯車装置１６に対して前記エンジン１２側に配置されている。前記中心軸ＣＥの軸方向に関して、前記第１電動機ＭＧ１は、前記第１遊星歯車装置１４に対して前記エンジン１２側に配置されている。前記中心軸ＣＥの軸方向に関して、前記第２電動機ＭＧ１は、前記第２遊星歯車装置１６に対して前記エンジン１２の反対側に配置されている。すなわち、前記第１電動機ＭＧ１、第２電動機ＭＧ２は、前記中心軸ＣＥの軸方向に関して、前記第１遊星歯車装置１４及び第２遊星歯車装置１６を間に挟んで対向する位置に配置されている。すなわち、前記駆動装置１０においては、前記中心軸ＣＥの軸方向において、前記エンジン１２側から前記第１電動機ＭＧ１、第１遊星歯車装置１４、クラッチＣＬ、第２遊星歯車装置１６、ブレーキＢＫ、第２電動機ＭＧ２の順でそれらの構成が同軸上に配置されている。【００３０】
図２は、前記駆動装置１０の駆動を制御するためにその駆動装置１０に備えられた制御系統の要部を説明する図である。この図２に示す電子制御装置４０は、ＣＰＵ、ＲＯＭ、ＲＡＭ、及び入出力インターフェイス等を含んで構成され、ＲＡＭの一時記憶機能を利用しつつＲＯＭに予め記憶されたプログラムに従って信号処理を実行する所謂マイクロコンピュータであり、前記エンジン１２の駆動制御や、前記第１電動機ＭＧ１及び第２電動機ＭＧ２に関するハイブリッド駆動制御をはじめとする前記駆動装置１０の駆動に係る各種制御を実行する。すなわち、本実施例においては、前記電子制御装置４０が前記駆動装置１０の適用されたハイブリッド車両の駆動制御装置に相当する。この電子制御装置４０は、前記エンジン１２の出力制御用や前記第１電動機ＭＧ１及び第２電動機ＭＧ２の作動制御用といったように、必要に応じて各制御毎に個別の制御装置として構成される。【００３１】
図２に示すように、前記電子制御装置４０には、前記駆動装置１０の各部に設けられたセンサやスイッチ等から各種信号が供給されるように構成されている。すなわち、アクセル開度センサ４２により運転者の出力要求量に対応する図示しないアクセルペダルの操作量であるアクセル開度ＡCCを表す信号、エンジン回転速度センサ４４により前記エンジン１２の回転速度であるエンジン回転速度ＮEを表す信号、ＭＧ１回転速度センサ４６により前記第１電動機ＭＧ１の回転速度ＮMG1を表す信号、ＭＧ２回転速度センサ４８により前記第２電動機ＭＧ２の回転速度ＮMG2を表す信号、出力回転速度センサ５０により車速Ｖに対応する前記出力歯車３０の回転速度ＮOUTを表す信号、車輪速センサ５２により前記駆動装置１０における各車輪それぞれの速度ＮWを表す信号、及びバッテリＳＯＣセンサ５４によりバッテリ５５の充電容量（充電状態）ＳＯＣを表す信号等が、それぞれ上記電子制御装置４０に供給される。【００３２】
前記電子制御装置４０からは、前記駆動装置１０の各部に作動指令が出力されるように構成されている。すなわち、前記エンジン１２の出力を制御するエンジン出力制御指令として、燃料噴射装置による吸気配管等への燃料供給量を制御する燃料噴射量信号、点火装置による前記エンジン１２の点火時期（点火タイミング）を指令する点火信号、及び電子スロットル弁のスロットル弁開度θTHを操作するためにスロットルアクチュエータへ供給される電子スロットル弁駆動信号等が、そのエンジン１２の出力を制御するエンジン制御装置５６へ出力される。前記第１電動機ＭＧ１及び第２電動機ＭＧ２の作動を指令する指令信号がインバータ５８へ出力され、そのインバータ５８を介して前記バッテリ５５からその指令信号に応じた電気エネルギが前記第１電動機ＭＧ１及び第２電動機ＭＧ２に供給されてそれら第１電動機ＭＧ１及び第２電動機ＭＧ２の出力（トルク）が制御される。前記第１電動機ＭＧ１及び第２電動機ＭＧ２により発電された電気エネルギが前記インバータ５８を介して前記バッテリ５５に供給され、そのバッテリ５５に蓄積されるようになっている。すなわち、前記駆動装置１０においては、前記バッテリ５５が駆動用バッテリに対応する。前記クラッチＣＬ、ブレーキＢＫの係合状態を制御する指令信号が油圧制御回路６０に備えられたリニアソレノイド弁等の電磁制御弁へ供給され、それら電磁制御弁から出力される油圧が制御されることで前記クラッチＣＬ、ブレーキＢＫの係合状態が制御されるようになっている。例えば車速Ｖやエンジン回転速度ＮE等の車両の駆動状態、前記バッテリ５５の充電量、現時点において成立している走行モード等、車両に関する種々の情報を表示させるための表示制御信号が、車内の運転席付近に設けられた表示装置（ディスプレイ）である車内表示装置６２へ出力される。【００３３】
前記駆動装置１０は、前記第１電動機ＭＧ１及び第２電動機ＭＧ２を介して運転状態が制御されることにより、入力回転速度と出力回転速度の差動状態が制御される電気式差動部として機能する。例えば、前記第１電動機ＭＧ１により発電された電気エネルギを前記インバータ５８を介して前記バッテリ５５や第２電動機ＭＧ２へ供給する。これにより、前記エンジン１２の動力の主要部は機械的に前記出力歯車３０へ伝達される一方、その動力の一部は前記第１電動機ＭＧ１の発電のために消費されてそこで電気エネルギに変換され、前記インバータ５８を通してその電気エネルギが前記第２電動機ＭＧ２へ供給される。そして、その第２電動機ＭＧ２が駆動されて第２電動機ＭＧ２から出力された動力が前記出力歯車３０へ伝達される。この電気エネルギの発生から第２電動機ＭＧ２で消費されるまでに関連する機器により、前記エンジン１２の動力の一部を電気エネルギに変換し、その電気エネルギを機械的エネルギに変換するまでの電気パスが構成される。【００３４】
以上のように構成された駆動装置１０が適用されたハイブリッド車両においては、前記エンジン１２、第１電動機ＭＧ１、及び第２電動機ＭＧ２の駆動状態、及び前記クラッチＣＬ、ブレーキＢＫの係合状態等に応じて、複数の走行モードの何れかが選択的に成立させられる。図３は、前記駆動装置１０において成立させられる５種類の走行モードそれぞれにおける前記クラッチＣＬ、ブレーキＢＫの係合状態を示す係合表であり、係合を「○」で、解放を空欄でそれぞれ示している。この図３に示す走行モード「ＥＶ−１」、「ＥＶ−２」は、何れも前記エンジン１２の運転が停止させられると共に、前記第１電動機ＭＧ１及び第２電動機ＭＧ２の少なくとも一方を走行用の駆動源として用いるＥＶ走行モードである。「ＨＶ−１」、「ＨＶ−２」、「ＨＶ−３」は、何れも前記エンジン１２を例えば走行用の駆動源として駆動させると共に、前記第１電動機ＭＧ１及び第２電動機ＭＧ２により必要に応じて駆動乃至発電等を行うハイブリッド走行モードである。このハイブリッド走行モードにおいて、前記第１電動機ＭＧ１及び第２電動機ＭＧ２の少なくとも一方により反力を発生させるものであってもよく、無負荷の状態で空転させるものであってもよい。【００３５】
図３に示すように、前記駆動装置１０においては、前記エンジン１２の運転が停止させられると共に、前記第１電動機ＭＧ１及び第２電動機ＭＧ２の少なくとも一方を走行用の駆動源として用いるＥＶ走行モードにおいて、前記ブレーキＢＫが係合されると共に前記クラッチＣＬが解放されることでモード１（走行モード１）である「ＥＶ−１」が、前記ブレーキＢＫ及びクラッチＣＬが共に係合されることでモード２（走行モード２）である「ＥＶ−２」がそれぞれ成立させられる。前記エンジン１２を例えば走行用の駆動源として駆動させると共に、前記第１電動機ＭＧ１及び第２電動機ＭＧ２により必要に応じて駆動乃至発電等を行うハイブリッド走行モードにおいて、前記ブレーキＢＫが係合されると共に前記クラッチＣＬが解放されることでモード３（走行モード３）である「ＨＶ−１」が、前記ブレーキＢＫが解放されると共に前記クラッチＣＬが係合されることでモード４（走行モード４）である「ＨＶ−２」が、前記ブレーキＢＫ及びクラッチＣＬが共に解放されることでモード５（走行モード５）である「ＨＶ−３」がそれぞれ成立させられる。【００３６】
図４〜図７は、前記駆動装置１０（第１遊星歯車装置１４及び第２遊星歯車装置１６）において、前記クラッチＣＬ及びブレーキＢＫそれぞれの係合状態に応じて連結状態が異なる各回転要素の回転速度の相対関係を直線上で表すことができる共線図を示しており、横軸方向において前記第１遊星歯車装置１４及び第２遊星歯車装置１６のギヤ比ρの相対関係を示し、縦軸方向において相対的回転速度を示す二次元座標である。車両前進時における前記出力歯車３０の回転方向を正の方向（正回転）として各回転速度を表している。横線Ｘ１は回転速度零を示している。縦線Ｙ１〜Ｙ４は、左から順に実線Ｙ１が前記第１遊星歯車装置１４のサンギヤＳ１（第１電動機ＭＧ１）、破線Ｙ２が前記第２遊星歯車装置１６のサンギヤＳ２（第２電動機ＭＧ２）、実線Ｙ３が前記第１遊星歯車装置１４のキャリアＣ１（エンジン１２）、破線Ｙ３′が前記第２遊星歯車装置１６のキャリアＣ２、実線Ｙ４が前記第１遊星歯車装置１４のリングギヤＲ１（出力歯車３０）、破線Ｙ４′が前記第２遊星歯車装置１６のリングギヤＲ２それぞれの相対回転速度を示している。図４〜図７においては、縦線Ｙ３及びＹ３′、縦線Ｙ４及びＹ４′をそれぞれ重ねて表している。ここで、前記リングギヤＲ１及びＲ２は相互に連結されているため、縦線Ｙ４、Ｙ４′にそれぞれ示すリングギヤＲ１及びＲ２の相対回転速度は等しい。【００３７】
図４〜図７においては、前記第１遊星歯車装置１４における３つの回転要素の相対的な回転速度を実線Ｌ１で、前記第２遊星歯車装置１６における３つの回転要素の相対的な回転速度を破線Ｌ２でそれぞれ示している。前記縦線Ｙ１〜Ｙ４（Ｙ２〜Ｙ４′）の間隔は、前記第１遊星歯車装置１４及び第２遊星歯車装置１６の各ギヤ比ρ１、ρ２に応じて定められている。すなわち、前記第１遊星歯車装置１４における３つの回転要素に対応する縦線Ｙ１、Ｙ３、Ｙ４に関して、サンギヤＳ１とキャリアＣ１との間が１に対応するものとされ、キャリアＣ１とリングギヤＲ１との間がρ１に対応するものとされる。前記第２遊星歯車装置１６における３つの回転要素に対応する縦線Ｙ２、Ｙ３′、Ｙ４′に関して、サンギヤＳ２とキャリアＣ２との間が１に対応するものとされ、キャリアＣ２とリングギヤＲ２との間がρ２に対応するものとされる。すなわち、前記駆動装置１０において、好適には、前記第１遊星歯車装置１４のギヤ比ρ１よりも前記第２遊星歯車装置１６のギヤ比ρ２の方が大きい（ρ２＞ρ１）。以下、図４〜図７を用いて前記駆動装置１０における各走行モードについて説明する。【００３８】
図３に示す「ＥＶ−１」は、前記駆動装置１０におけるモード１（走行モード１）に相当するものであり、好適には、前記エンジン１２の運転が停止させられると共に、前記第２電動機ＭＧ２が走行用の駆動源として用いられるＥＶ走行モードである。図４は、このモード１に対応する共線図であり、この共線図を用いて説明すれば、前記クラッチＣＬが解放されることで前記第１遊星歯車装置１４のキャリアＣ１と前記第２遊星歯車装置１６のキャリアＣ２との相対回転が可能とされている。前記ブレーキＢＫが係合されることで前記第２遊星歯車装置１６のキャリアＣ２が非回転部材である前記ハウジング２６に対して連結（固定）され、その回転速度が零とされている。このモード１においては、前記第２遊星歯車装置１６において、前記サンギヤＳ２の回転方向と前記リングギヤＲ２の回転方向とが逆方向となり、前記第２電動機ＭＧ２により負のトルク（負の方向のトルク）が出力されると、そのトルクにより前記リングギヤＲ２すなわち出力歯車３０は正の方向に回転させられる。すなわち、前記第２電動機ＭＧ２により負のトルクを出力させることにより、前記駆動装置１０の適用されたハイブリッド車両を前進走行させることができる。この場合において、好適には、前記第１電動機ＭＧ１は空転させられる。このモード１では、前記キャリアＣ１及びＣ２の相対回転が許容されると共に、そのキャリアＣ２が非回転部材に連結された所謂ＴＨＳ（Toyota Hybrid System）を搭載した車両におけるＥＶ走行と同様のＥＶ走行制御を行うことができる。【００３９】
図３に示す「ＥＶ−２」は、前記駆動装置１０におけるモード２（走行モード２）に相当するものであり、好適には、前記エンジン１２の運転が停止させられると共に、前記第１電動機ＭＧ１及び第２電動機ＭＧ２の少なくとも一方が走行用の駆動源として用いられるＥＶ走行モードである。図５は、このモード２に対応する共線図であり、この共線図を用いて説明すれば、前記クラッチＣＬが係合されることで前記第１遊星歯車装置１４のキャリアＣ１と前記第２遊星歯車装置１６のキャリアＣ２との相対回転が不能とされている。更に、前記ブレーキＢＫが係合されることで前記第２遊星歯車装置１６のキャリアＣ２及びそのキャリアＣ２に係合された前記第１遊星歯車装置１４のキャリアＣ１が非回転部材である前記ハウジング２６に対して連結（固定）され、その回転速度が零とされている。このモード２においては、前記第１遊星歯車装置１４において、前記サンギヤＳ１の回転方向と前記リングギヤＲ１の回転方向とが逆方向となると共に、前記第２遊星歯車装置１６において、前記サンギヤＳ２の回転方向と前記リングギヤＲ２の回転方向とが逆方向となる。すなわち、前記第１電動機ＭＧ１乃至前記第２電動機ＭＧ２により負のトルク（負の方向のトルク）が出力されると、そのトルクにより前記リングギヤＲ１及びＲ２すなわち出力歯車３０は正の方向に回転させられる。すなわち、前記第１電動機ＭＧ１及び第２電動機ＭＧ２の少なくとも一方により負のトルクを出力させることにより、前記駆動装置１０の適用されたハイブリッド車両を前進走行させることができる。【００４０】
前記モード２においては、前記第１電動機ＭＧ１及び第２電動機ＭＧ２の少なくとも一方により発電を行う形態を成立させることもできる。この形態においては、前記第１電動機ＭＧ１及び第２電動機ＭＧ２の一方或いは両方により走行用の駆動力（トルク）を分担して発生させることが可能となり、各電動機を効率の良い動作点で動作させたり、熱によるトルク制限等の制約を緩和する走行等が可能となる。更に、前記バッテリ５５の充電状態が満充電の場合等、回生による発電が許容されない場合に、前記第１電動機ＭＧ１及び第２電動機ＭＧ２の一方或いは両方を空転させることも可能である。すなわち、前記モード２においては、幅広い走行条件においてＥＶ走行を行うことや、長時間継続してＥＶ走行を行うことが可能となる。従って、前記モード２は、プラグインハイブリッド車両等、ＥＶ走行を行う割合が高いハイブリッド車両において好適に採用される。【００４１】
図３に示す「ＨＶ−１」は、前記駆動装置１０におけるモード３（走行モード３）に相当するものであり、好適には、前記エンジン１２が駆動されて走行用の駆動源として用いられると共に、必要に応じて前記第１電動機ＭＧ１及び第２電動機ＭＧ２による駆動乃至発電が行われるハイブリッド走行モードである。図４の共線図は、このモード３に対応するものでもあり、この共線図を用いて説明すれば、前記クラッチＣＬが解放されることで前記第１遊星歯車装置１４のキャリアＣ１と前記第２遊星歯車装置１６のキャリアＣ２との相対回転が可能とされている。前記ブレーキＢＫが係合されることで前記第２遊星歯車装置１６のキャリアＣ２が非回転部材である前記ハウジング２６に対して連結（固定）され、その回転速度が零とされている。このモード３においては、前記エンジン１２が駆動させられ、その出力トルクにより前記出力歯車３０が回転させられる。この際、前記第１遊星歯車装置１４において、前記第１電動機ＭＧ１により反力トルクを出力させることで、前記エンジン１２からの出力の前記出力歯車３０への伝達が可能とされる。前記第２遊星歯車装置１６においては、前記ブレーキＢＫが係合されていることで、前記サンギヤＳ２の回転方向と前記リングギヤＲ２の回転方向とが逆方向となる。すなわち、前記第２電動機ＭＧ２により負のトルク（負の方向のトルク）が出力されると、そのトルクにより前記リングギヤＲ１及びＲ２すなわち出力歯車３０は正の方向に回転させられる。【００４２】
図３に示す「ＨＶ−２」は、前記駆動装置１０におけるモード４（走行モード４）に相当するものであり、好適には、前記エンジン１２が駆動されて走行用の駆動源として用いられると共に、必要に応じて前記第１電動機ＭＧ１及び第２電動機ＭＧ２による駆動乃至発電が行われるハイブリッド走行モードである。図６は、このモード４に対応する共線図であり、この共線図を用いて説明すれば、前記クラッチＣＬが係合されることで前記第１遊星歯車装置１４のキャリアＣ１と前記第２遊星歯車装置１６のキャリアＣ２との相対回転が不能とされており、前記キャリアＣ１及びＣ２が一体的に回転させられる１つの回転要素として動作する。前記リングギヤＲ１及びＲ２は相互に連結されていることで、それらリングギヤＲ１及びＲ２は一体的に回転させられる１つの回転要素として動作する。すなわち、前記モード４において、前記駆動装置１０における前記第１遊星歯車装置１４及び第２遊星歯車装置１６における回転要素は、全体として４つの回転要素を備えた差動機構として機能する。すなわち、図６において紙面向かって左から順に示す４つの回転要素であるサンギヤＳ１（第１電動機ＭＧ１）、サンギヤＳ２（第２電動機ＭＧ２）、相互に連結されたキャリアＣ１及びＣ２（エンジン１２）、相互に連結されたリングギヤＲ１及びＲ２（出力歯車３０）の順に結合した複合スプリットモードとなる。【００４３】
図６に示すように、前記モード４において、好適には、前記第１遊星歯車装置１４及び第２遊星歯車装置１６における各回転要素の共線図における並び順が、縦線Ｙ１で示すサンギヤＳ１、縦線Ｙ２で示すサンギヤＳ２、縦線Ｙ３（Ｙ３′）で示すキャリアＣ１及びＣ２、縦線Ｙ４（Ｙ４′）で示すリングギヤＲ１及びＲ２の順となる。前記第１遊星歯車装置１４及び第２遊星歯車装置１６それぞれのギヤ比ρ１、ρ２は、共線図において図６に示すように前記サンギヤＳ１に対応する縦線Ｙ１と前記サンギヤＳ２に対応する縦線Ｙ２とが上記の並び順となるように、すなわち縦線Ｙ１と縦線Ｙ３との間隔が、縦線Ｙ２と縦線Ｙ３′との間隔よりも広くなるように定められている。換言すれば、サンギヤＳ１、Ｓ２とキャリアＣ１、Ｃ２との間が１に対応するものとされ、キャリアＣ１、Ｃ２とリングギヤＲ１、Ｒ２との間がρ１、ρ２に対応することから、前記駆動装置１０においては、前記第１遊星歯車装置１４のギヤ比ρ１よりも前記第２遊星歯車装置１６のギヤ比ρ２の方が大きい。【００４４】
前記モード４においては、前記クラッチＣＬが係合されることで前記第１遊星歯車装置１４のキャリアＣ１と前記第２遊星歯車装置１６のキャリアＣ２とが連結されており、それらキャリアＣ１及びＣ２が一体的に回転させられる。このため、前記エンジン１２の出力に対して、前記第１電動機ＭＧ１及び第２電動機ＭＧ２の何れによっても反力を受けることができる。すなわち、前記エンジン１２の駆動に際して、その反力を前記第１電動機ＭＧ１及び第２電動機ＭＧ２の一方乃至両方で分担して受けることが可能となり、効率の良い動作点で動作させたり、熱によるトルク制限等の制約を緩和する走行等が可能となる。例えば、前記第１電動機ＭＧ１及び第２電動機ＭＧ２のうち、効率良く動作できる方の電動機により優先的に反力を受けるように制御することで、効率の向上を図ることができる。更に、前記第１電動機ＭＧ１及び第２電動機ＭＧ２の何れかにおいて熱によるトルク制限がなされた場合に、トルク制限がなされていない電動機の回生乃至出力によって駆動力をアシストすることで、前記エンジン１２の駆動に必要な反力を確保すること等が可能とされる。【００４５】
図３に示す「ＨＶ−３」は、前記駆動装置１０におけるモード５（走行モード５）に相当するものであり、好適には、前記エンジン１２が駆動されて走行用の駆動源として用いられると共に、必要に応じて前記第１電動機ＭＧ１による駆動乃至発電が行われるハイブリッド走行モードである。このモード５においては、前記第２電動機ＭＧ２を駆動系から切り離して前記エンジン１２及び第１電動機ＭＧ１により駆動を行う等の形態を実現することができる。図７は、このモード５に対応する共線図であり、この共線図を用いて説明すれば、前記クラッチＣＬが解放されることで前記第１遊星歯車装置１４のキャリアＣ１と前記第２遊星歯車装置１６のキャリアＣ２との相対回転が可能とされている。前記ブレーキＢＫが解放されることで前記第２遊星歯車装置１６のキャリアＣ２が非回転部材である前記ハウジング２６に対して相対回転可能とされている。斯かる構成においては、前記第２電動機ＭＧ２を駆動系（動力伝達経路）から切り離して停止させておくことが可能である。【００４６】
前記モード３においては、前記ブレーキＢＫが係合されているため、車両走行時において前記第２電動機ＭＧ２は前記出力歯車３０（リングギヤＲ２）の回転に伴い常時回転させられる。斯かる形態において、比較的高回転となる領域では前記第２電動機ＭＧ２の回転速度が限界値（上限値）に達することや、前記リングギヤＲ２の回転速度が増速されて前記サンギヤＳ２に伝達されること等から、効率向上の観点からは比較的高車速時に前記第２電動機ＭＧ２を常時回転させておくことは必ずしも好ましくない。一方、前記モード５においては、比較的高車速時に前記第２電動機ＭＧ２を駆動系から切り離して前記エンジン１２及び第１電動機ＭＧ１により駆動を行う形態を実現することで、その第２電動機ＭＧ２の駆動が不要な場合における引き摺り損失を低減できることに加え、その第２電動機ＭＧ２に許容される最高回転速度（上限値）に起因する最高車速への制約を解消すること等が可能とされる。【００４７】
以上の説明から明らかなように、前記駆動装置１０においては、前記エンジン１２が駆動されて走行用の駆動源として用いられるハイブリッド走行に関して、前記クラッチＣＬ及びブレーキＢＫの係合乃至解放の組み合わせにより、ＨＶ−１（モード３）、ＨＶ−２（モード４）、及びＨＶ−３（モード５）の３つのモードを選択的に成立させることができる。これにより、例えば車両の車速や変速比等に応じてそれら３つのモードのうち最も伝達効率の高いモードを選択的に成立させることで、伝達効率の向上延いては燃費の向上を実現することができる。【００４８】
図８は、前記電子制御装置４０に備えられた制御機能の要部を説明する機能ブロック線図である。この図８に示す電動機作動制御部７０は、前記インバータ５８を介して前記第１電動機ＭＧ１及び第２電動機ＭＧ２の作動を制御する。具体的には、前記インバータ５８を介して前記バッテリ５５から前記第１電動機ＭＧ１、第２電動機ＭＧ２へ供給される電気エネルギを制御することによりそれら第１電動機ＭＧ１、第２電動機ＭＧ２により必要な出力すなわち目標トルク（目標電動機出力）が得られるように制御する。前記第１電動機ＭＧ１、第２電動機ＭＧ２により発電が行われる際には、それら第１電動機ＭＧ１、第２電動機ＭＧ２により発電された電気エネルギを前記インバータ５８を介して前記バッテリ５５に蓄積する。【００４９】
クラッチ係合制御部７２は、前記油圧制御回路６０を介して前記クラッチＣＬの係合状態を制御する。例えば、前記油圧制御回路６０に備えられた、前記クラッチＣＬに対応する電磁制御弁からの出力圧を制御することで、そのクラッチＣＬの係合状態を係合乃至解放の間で切り替える制御を行う。ブレーキ係合制御部７４は、前記油圧制御回路６０を介して前記ブレーキＢＫの係合状態を制御する。例えば、前記油圧制御回路６０に備えられた、前記ブレーキＢＫに対応する電磁制御弁からの出力圧を制御することで、そのブレーキＢＫの係合状態を係合乃至解放の間で切り替える制御を行う。前記クラッチ係合制御部７２及びブレーキ係合制御部７４は、基本的には、前述のように車両の走行状態に応じて判定された走行モードが成立させられるように前記クラッチＣＬ及びブレーキＢＫの係合状態を制御する。すなわち、前記モード１〜５それぞれに関して、前述した図３に示す組み合わせで前記クラッチＣＬ及びブレーキＢＫが係合乃至解放されるようにそれらの係合状態を制御する。【００５０】
ＭＧ１フェール判定部７６は、前記第１電動機ＭＧ１のフェールを判定する。すなわち、前記第１電動機ＭＧ１の正常の作動を不可能とする故障の発生の有無を判定する。例えば、前記電動機作動制御部７０による前記第１電動機ＭＧ１の出力を定める指令値と、前記ＭＧ１回転速度センサ４６により検出される第１電動機回転速度ＮMG1との乖離に基づいて前記第１電動機ＭＧ１における故障の有無を判定する。具体的には、前記電動機作動制御部７０による前記第１電動機ＭＧ１の出力を定める指令値と、前記ＭＧ１回転速度センサ４６により検出される第１電動機回転速度ＮMG1との乖離が規定値以上となった場合に前記第１電動機ＭＧ１におけるフェールの発生を判定する。例えば、前記電動機作動制御部７０による前記第１電動機ＭＧ１の出力を定める指令値が所定速度に対応する値であるのに対して、前記ＭＧ１回転速度センサ４６により検出される第１電動機回転速度ＮMG1が零である場合には、前記第１電動機ＭＧ１の焼き付き等によるロック故障を判定する。【００５１】
ＭＧ２フェール判定部７８は、前記第１電動機ＭＧ２のフェールを判定する。すなわち、前記第２電動機ＭＧ２の正常の作動を不可能とする故障の発生の有無を判定する。例えば、前記電動機作動制御部７０による前記第２電動機ＭＧ２の出力を定める指令値と、前記ＭＧ２回転速度センサ４８により検出される第２電動機回転速度ＮMG2との乖離に基づいて前記第２電動機ＭＧ２における故障の有無を判定する。具体的には、前記電動機作動制御部７０による前記第２電動機ＭＧ２の出力を定める指令値と、前記ＭＧ２回転速度センサ４８により検出される第２電動機回転速度ＮMG2との乖離が規定値以上となった場合に前記第２電動機ＭＧ２におけるフェールの発生を判定する。例えば、前記電動機作動制御部７０による前記第２電動機ＭＧ２の出力を定める指令値が所定速度に対応する値であるのに対して、前記ＭＧ２回転速度センサ４８により検出される第２電動機回転速度ＮMG2が零である場合には、前記第２電動機ＭＧ２の焼き付き等によるロック故障を判定する。【００５２】
バッテリ充電量判定部８０は、前記バッテリ５５の充電量が予め定められた範囲内であるか否かを判定する。好適には、前記バッテリＳＯＣセンサ５４により検出されるバッテリＳＯＣが、予め定められた閾値ＳＯＣem（ＳＯＣbo1）未満であるか否かを判定する。この閾値ＳＯＣem（ＳＯＣbo1）は、例えば、前記バッテリ５５の放電制限量（出力制限値Ｗout）に相当する値である。前記バッテリ充電量判定部８０は、好適には、前記バッテリＳＯＣセンサ５４により検出されるバッテリＳＯＣが、予め定められた閾値ＳＯＣbo2以上であるか否かを判定する。この閾値ＳＯＣbo2は、例えば、前記バッテリ５５の充電制限量（入力制限値Ｗin）に相当する値である。【００５３】
退避走行制御部８２は、前記第１電動機ＭＧ１又は第２電動機ＭＧ２のフェール時における退避走行制御を行う。具体的には、前記ＭＧ１フェール判定部７６により前記第１電動機ＭＧ１のフェールが判定された場合、又は、前記ＭＧ２フェール判定部７８により前記第２電動機ＭＧ２のフェールが判定された場合において、前記第１電動機ＭＧ１及び第２電動機ＭＧ２のうちフェールしていない方の電動機ＭＧ１又はＭＧ２（以下、特に区別しない場合には単に電動機ＭＧという）により走行用の駆動力を発生させる走行制御と、その電動機ＭＧにより前記バッテリ５５の充電を行う充電制御とを、交互に繰り返す制御を実行する。前記退避走行制御部８２は、好適には、前記バッテリ５５の充電量すなわち前記バッテリＳＯＣセンサ５４により検出されるバッテリＳＯＣに応じて前記走行制御と前記充電制御とを切り替える。以下、前記退避走行制御部８２による退避走行制御の具体例について詳述する。【００５４】
前記退避走行制御部８２は、好適には、前記第１電動機ＭＧ１のフェール時において、前記バッテリ５５の充電量が規定の閾値ＳＯＣem未満である場合には、前記クラッチＣＬを係合させると共に前記ブレーキＢＫを解放させ、前記エンジン１２及び前記第２電動機ＭＧ２により前記バッテリ５５の充電を行う充電制御を行う。すなわち、前記ＭＧ１フェール判定部７６により前記第１電動機ＭＧ１のフェールが判定され、且つ、前記バッテリ充電量判定部８０により前記バッテリ５５の充電量が規定の閾値ＳＯＣem未満であると判定された場合には、前記クラッチ係合制御部７２により前記クラッチＣＬを係合させると共に前記ブレーキ係合制御部７４により前記ブレーキＢＫを解放させ、前記エンジン１２を駆動させると共に前記電動機作動制御部７０を介して前記第２電動機ＭＧ２による発電を行い、前記バッテリ５５の充電を行う。好適には、車両停止時すなわち前記出力回転速度センサ５０により検出される出力回転速度ＮOUTに対応する車速Ｖが零である場合（出力軸固定時）に前記充電制御を行う。【００５５】
図９は、前記第１電動機ＭＧ１フェール時の充電制御について説明する共線図であり、前記出力歯車３０（リングギヤＲ１及びＲ２）に対応する縦線Ｙ４（Ｙ４′）を中央に、前記第１差動機構１４における各回転要素に対応する縦線Ｙ１及びＹ３を紙面向かって右側に、前記第２差動機構１６における各回転要素に対応する縦線Ｙ２及びＹ３′を紙面向かって右側にそれぞれ展開して示している（図１０〜図１２について同じ）。前記クラッチＣＬにより前記キャリアＣ１、Ｃ２が係合された状態（回転速度）を一点鎖線Ｘ２で示している。この図９に示すように、車両停止時すなわち前記出力歯車３０（リングギヤＲ１、Ｒ２）の回転速度が零であり、且つ、前記クラッチＣＬが係合されると共に前記ブレーキＢＫが解放された状態においては、前記エンジン１２の駆動により前記キャリアＣ１（クラッチＣＬにより係合されたキャリアＣ２）が回転させられることで前記第２電動機ＭＧ２による発電が行われる。この第２電動機ＭＧ２により発電された電気エネルギが前記バッテリ５５に供給されることで、そのバッテリ５５の充電が行われる。【００５６】
前記退避走行制御部８２は、好適には、前記第１電動機ＭＧ１のフェール時において、前記バッテリ５５の充電量が規定の閾値ＳＯＣem以上である場合には、前記クラッチＣＬを解放させると共に前記ブレーキＢＫを係合させ、前記第２電動機ＭＧ２により走行用の駆動力を発生させるＥＶ走行制御を行う。すなわち、前記ＭＧ１フェール判定部７６により前記第１電動機ＭＧ１のフェールが判定され、且つ、前記バッテリ充電量判定部８０により前記バッテリ５５の充電量が規定の閾値ＳＯＣem以上であると判定された場合には、前記クラッチ係合制御部７２により前記クラッチＣＬを解放させると共に前記ブレーキ係合制御部７４により前記ブレーキＢＫを係合させ、前記電動機作動制御部７０により前記第２電動機ＭＧ２により走行用の駆動力を発生させる。すなわち、前記モード１（ＥＶ−１）を成立させ、専ら前記第２電動機ＭＧ２を駆動源とするＥＶ走行を行う。  図１０は、前記第１電動機ＭＧ１フェール時の走行制御について説明する共線図である。この図１０に示すように、前記ブレーキＢＫが係合された状態においては、前記第２電動機ＭＧ２により負のトルクが発生させられることで、前記出力歯車３０（リングギヤＲ１、Ｒ２）が正の方向に駆動される。これにより、前記駆動装置１０の適用されたハイブリッド車両を前進走行させる駆動力が発生させられる。【００５７】
前記退避走行制御部８２は、好適には、前記第２電動機ＭＧ２のフェール時において、前記バッテリ５５の充電量が規定の閾値ＳＯＣem未満である場合には、前記クラッチＣＬ及びブレーキＢＫを共に解放させ、前記エンジン１２及び前記第１電動機ＭＧ１により前記バッテリ５５の充電を行う充電制御を行う。すなわち、前記ＭＧ２フェール判定部７８により前記第２電動機ＭＧ２のフェールが判定され、且つ、前記バッテリ充電量判定部８０により前記バッテリ５５の充電量が規定の閾値ＳＯＣem未満であると判定された場合には、前記クラッチ係合制御部７２により前記クラッチＣＬを解放させると共に前記ブレーキ係合制御部７４により前記ブレーキＢＫを解放させ、前記エンジン１２を駆動させると共に前記電動機作動制御部７０を介して前記第１電動機ＭＧ１による発電を行い、前記バッテリ５５の充電を行う。好適には、車両停止時すなわち前記出力回転速度センサ５０により検出される出力回転速度ＮOUTに対応する車速Ｖが零である場合（出力軸固定時）に前記充電制御を行う。図１１は、前記第２電動機ＭＧ２フェール時の充電制御について説明する共線図である。この図１１に示すように、車両停止時すなわち前記出力歯車３０（リングギヤＲ１、Ｒ２）の回転速度が零であり、且つ、前記クラッチＣＬ及びブレーキＢＫが共に解放された状態においては、前記エンジン１２の駆動により前記キャリアＣ１が回転させられることで前記第１電動機ＭＧ１による発電が行われる。この第１電動機ＭＧ１により発電された電気エネルギが前記バッテリ５５に供給されることで、そのバッテリ５５の充電が行われる。前述のように、前記クラッチＣＬ及びブレーキＢＫが共に解放された状態においては、前記第２電動機ＭＧ２を駆動系（動力伝達経路）から切り離して停止させておくことが可能である。【００５８】
前記退避走行制御部８２は、好適には、前記第２電動機ＭＧ２のフェール時において、前記バッテリ５５の充電量が規定の閾値ＳＯＣem以上である場合には、前記クラッチＣＬ及びブレーキＢＫを共に係合させ、前記第１電動機ＭＧ１により走行用の駆動力を発生させるＥＶ走行制御を行う。すなわち、前記ＭＧ２フェール判定部７８により前記第２電動機ＭＧ２のフェールが判定され、且つ、前記バッテリ充電量判定部８０により前記バッテリ５５の充電量が規定の閾値ＳＯＣem以上であると判定された場合には、前記クラッチ係合制御部７２により前記クラッチＣＬを係合させると共に前記ブレーキ係合制御部７４により前記ブレーキＢＫを係合させ、前記電動機作動制御部７０により前記第１電動機ＭＧ１により走行用の駆動力を発生させる。すなわち、前記モード２（ＥＶ−２）を成立させ、専ら前記第１電動機ＭＧ１を駆動源とするＥＶ走行を行う。  図１２は、前記第２電動機ＭＧ２フェール時の走行制御について説明する共線図である。この図１２に示すように、前記クラッチＣＬ及びブレーキＢＫが共に係合された状態においては、前記第１電動機ＭＧ１により負のトルクが発生させられることで、前記出力歯車３０（リングギヤＲ１、Ｒ２）が正の方向に駆動される。これにより、前記駆動装置１０の適用されたハイブリッド車両を前進走行させる駆動力が発生させられる。【００５９】
図８に示すフェール時指示表示制御部８４は、前記第１電動機ＭＧ１又は第２電動機ＭＧ２のフェール時には、前記車内表示装置６２に前記走行制御及び充電制御に係る指示情報を表示させる。すなわち、前記ＭＧ１フェール判定部７６により前記第１電動機ＭＧ１のフェールが判定された場合、又は、前記ＭＧ２フェール判定部７８により前記第２電動機ＭＧ２のフェールが判定された場合において、前記退避走行制御部８２による退避走行制御に係る指示情報を前記車内表示装置６２に表示させる表示制御を行う。好適には、前記充電制御時すなわちフェールしていない方の電動機ＭＧ及びエンジン１２により前記バッテリ５５の充電を行う制御の実行時には、停車して充電完了まで待機する旨の指示情報を前記車内表示装置６２に表示させる。例えば、車両を路肩等に停車してシフト操作装置をＰレンジ（パーキングポジション、停車位置）にシフトし、充電が完了するまで待機することを促す旨のテキスト情報等を前記車内表示装置６２に表示させる。このＰレンジは、例えばパーキングロック等により制動力が付与されるシフト操作位置である。或いは、予め定められた所定の表示ランプを点灯させること等により斯かる情報の通知を行うものであってもよい。前記走行制御時すなわちフェールしていない方の電動機ＭＧにより走行用の駆動力を発生させる制御の実行時には、車両の走行が可能である旨の指示情報を前記車内表示装置６２に表示させる。或いは、前記充電制御に対応する表示ランプを消すこと等により斯かる情報の通知を行うものであってもよい。【００６０】
前記退避走行制御部８２は、好適には、前記第１電動機ＭＧ１又は第２電動機ＭＧ２のフェール時において、専ら前記第１電動機ＭＧ１及び第２電動機ＭＧ２のうちフェールしていない方の電動機ＭＧにより走行用の駆動力を発生させるＥＶ走行制御と、前記エンジン１２により走行用の駆動力を発生させると共に前記電動機ＭＧにより前記バッテリ５５の充電を行うＨＶ走行制御とを、交互に繰り返す退避走行制御を行う。例えば、前記ＭＧ２フェール判定部７８により前記第２電動機ＭＧ２の焼き付き等によるロック故障が判定された場合、前記第２遊星歯車装置１６のサンギヤＳ２は非回転部材である前記ハウジング２６に固定される。斯かる態様において、前記退避走行制御部８２は、好適には、前記バッテリ５５の充電量すなわち前記バッテリＳＯＣセンサ５４により検出されるバッテリＳＯＣに応じて前記ＥＶ走行制御と前記ＨＶ走行制御とを切り替える。具体的には、前記バッテリ５５の充電量が出力制限値に相当する閾値ＳＯＣbo1未満である場合には、前記クラッチＣＬを係合させると共に前記ブレーキＢＫを解放させ、前記エンジン１２により走行用の駆動力を発生させると共に前記第１電動機ＭＧ１により発電を行い、前記バッテリ５５の充電制御を行う。前記バッテリ５５の充電量が入力制限値に相当する閾値ＳＯＣbo2以上である場合には、前記クラッチＣＬ及びブレーキＢＫを共に係合させ、専ら前記第１電動機ＭＧ１により走行用の駆動力を発生させる走行制御を行う。【００６１】
図１３は、前記電子制御装置４０による退避走行制御の一例の要部を説明するフローチャートであり、所定の周期で繰り返し実行されるものである。【００６２】
先ず、ステップ（以下、ステップを省略する）Ｓ１において、前記第１電動機ＭＧ１のフェールの有無が判定される。次に、Ｓ２において、前記第２電動機ＭＧ２のフェールの有無が判定される。次に、Ｓ３において、前記バッテリ５５における充電量すなわちバッテリＳＯＣが判定（検出）される。次に、Ｓ４において、Ｓ１及びＳ２の判定結果に基づいて、前記第１電動機ＭＧ１のフェール（故障）が判定され且つ前記第２電動機ＭＧ２のフェールが判定されなかった（正常）か否かが判断される。このＳ４の判断が否定される場合には、Ｓ１３以下の処理が実行されるが、Ｓ４の判断が肯定される場合には、Ｓ５において、Ｓ３にて検出されたバッテリＳＯＣが規定の閾値ＳＯＣem未満であるか否かが判断される。このＳ５の判断が肯定される場合には、Ｓ６以下の処理が実行されるが、Ｓ５の判断が否定される場合には、Ｓ１０以下の処理が実行される。【００６３】
Ｓ６においては、車両停止指示すなわち停車して充電完了まで待機する旨の指示情報が前記車内表示装置６２に表示される。次に、Ｓ７において、車両が停止したか否かすなわち車速Ｖが零となったか否かが判断される。このＳ７の判断が否定される場合には、Ｓ６以下の処理が再び実行されるが、Ｓ７の判断が肯定される場合には、Ｓ８において、前記クラッチＣＬが係合されると共に前記ブレーキＢＫが解放される。次に、Ｓ９において、前記第２電動機ＭＧ２による充電制御すなわち前記エンジン１２の動力により前記第２電動機ＭＧ２による発電が行われ、前記バッテリ５５の充電が行われた後、本ルーチンが終了させられる。Ｓ１０においては、退避走行許可の表示すなわち車両の走行が可能である旨の指示情報が前記車内表示装置６２に表示される。次に、Ｓ１１において、前記クラッチＣＬが解放されると共に前記ブレーキＢＫが係合される。次に、Ｓ１２において、専ら前記第２電動機ＭＧ２により走行用の駆動力を発生させる走行制御が実行された後、本ルーチンが終了させられる。【００６４】
Ｓ１３においては、Ｓ１及びＳ２の判定結果に基づいて、前記第１電動機ＭＧ１のフェールが判定されず（正常）且つ前記第２電動機ＭＧ２のフェールが判定された（故障）か否かが判断される。このＳ１３の判断が否定される場合には、それをもって本ルーチンが終了させられるが、Ｓ１３の判断が肯定される場合には、Ｓ１４において、Ｓ３にて検出されたバッテリＳＯＣが規定の閾値ＳＯＣem未満であるか否かが判断される。このＳ１４の判断が否定される場合には、Ｓ１８以下の処理が実行されるが、Ｓ１４の判断が肯定される場合には、Ｓ１５において、車両停止指示すなわち停車して充電完了まで待機する旨の指示情報が前記車内表示装置６２に表示される。次に、Ｓ１６において、車両が停止したか否かすなわち車速Ｖが零となったか否かが判断される。このＳ１６の判断が否定される場合には、Ｓ１５以下の処理が再び実行されるが、Ｓ１６の判断が肯定される場合には、Ｓ１７において、前記クラッチＣＬ及びブレーキＢＫが解放された状態で前記第１電動機ＭＧ１による充電制御すなわち前記エンジン１２の動力により前記第１電動機ＭＧ１による発電が行われ、前記バッテリ５５の充電が行われた後、本ルーチンが終了させられる。Ｓ１８においては、退避走行許可の表示すなわち車両の走行が可能である旨の指示情報が前記車内表示装置６２に表示される。次に、Ｓ１９において、前記クラッチＣＬ及びブレーキＢＫが共に係合される。次に、Ｓ２０において、専ら前記第１電動機ＭＧ１により走行用の駆動力を発生させる走行制御が実行された後、本ルーチンが終了させられる。【００６５】
図２１は、前記電子制御装置４０による退避走行制御の他の一例の要部を説明するフローチャートであり、所定の周期で繰り返し実行されるものである。【００６６】
先ず、ステップＳＳ１において、前記第２電動機ＭＧ２のフェールの有無が判定される。次に、ＳＳ２において、前記バッテリ５５における充電量すなわちバッテリＳＯＣが判定（検出）される。次に、ＳＳ３において、ＳＳ１の判定結果に基づいて、前記第２電動機ＭＧ２のロック故障すなわち焼き付き等により回転不可となるフェールが発生しているか否かが判断される。このＳＳ３の判断が否定される場合には、それをもって本ルーチンが終了させられるが、ＳＳ３の判断が肯定される場合には、ＳＳ４において、ＳＳ２にて検出されたバッテリＳＯＣが出力制限値に相当する閾値ＳＯＣbo1未満であるか否かが判断される。このＳＳ４の判断が否定される場合には、ＳＳ７以下の処理が実行されるが、ＳＳ４の判断が肯定される場合には、ＳＳ５において、前記クラッチＣＬが係合されると共に前記ブレーキＢＫが解放される。次に、ＳＳ６において、前記エンジン１２により走行用の駆動力を発生させると共に前記第１電動機ＭＧ１により発電を行い、前記バッテリ５５の充電制御を行うＨＶ走行制御が実行される。次に、ＳＳ７において、前記バッテリＳＯＣセンサ５４により検出されたバッテリＳＯＣが入力制限値に相当する閾値ＳＯＣbo2より大きいか否かが判断される。このＳＳ７の判断が否定される場合には、ＳＳ５以下の処理が再び実行されるが、ＳＳ７の判断が肯定される場合には、ＳＳ８において、前記クラッチＣＬ及びブレーキＢＫが共に係合される。次に、ＳＳ９において、専ら前記第１電動機ＭＧ１により走行用の駆動力を発生させるＥＶ走行制御が実行される。次に、ＳＳ１０において、車両が停止したか否かすなわち車速Ｖが零となったか否かが判断される。このＳＳ１０の判断が否定される場合には、ＳＳ４以下の処理が再び実行されるが、ＳＳ１０の判断が肯定される場合には、それをもって本ルーチンが終了させられる。【００６７】
以上の制御において、Ｓ９、Ｓ１２、Ｓ１７、Ｓ２０、及びＳＳ９が前記電動機作動制御部７０の動作に、Ｓ８、Ｓ１１、Ｓ１９、ＳＳ５、及びＳＳ８が前記クラッチ係合制御部７２の動作に、Ｓ８、Ｓ１１、Ｓ１９、ＳＳ５、及びＳＳ８が前記ブレーキ係合制御部７４の動作に、Ｓ１及びＳ４が前記ＭＧ１フェール判定部７６の動作に、Ｓ２、Ｓ１３、ＳＳ１、及びＳＳ３が前記ＭＧ２フェール判定部７８の動作に、Ｓ３、Ｓ５、Ｓ１４、ＳＳ２、ＳＳ４、及びＳＳ７が前記バッテリ充電量判定部８０の動作に、Ｓ１〜Ｓ２０及びＳＳ１〜ＳＳ１０が前記退避走行制御部８２の動作に、Ｓ６、Ｓ１０、Ｓ１５、及びＳ１８が前記フェール時指示表示制御部８４の動作に、それぞれ対応する。【００６８】
続いて、本発明の他の好適な実施例を図面に基づいて詳細に説明する。以下の説明において、実施例相互に共通する部分については同一の符号を付してその説明を省略する。
【実施例２】
【００６９】
図１４〜図２０は、本発明が好適に適用される他のハイブリッド車両用駆動装置１００、１１０、１２０、１３０、１４０、１５０、１６０の構成をそれぞれ説明する骨子図である。本発明のハイブリッド車両の駆動制御装置は、図１４に示す駆動装置１００や図１５に示す駆動装置１１０のように、中心軸ＣＥ方向の前記第１電動機ＭＧ１、第１遊星歯車装置１４、第２電動機ＭＧ２、第２遊星歯車装置１６、クラッチＣＬ及びブレーキＢＫの配置（配列）を変更した構成にも好適に適用される。図１６に示す駆動装置１２０のように、前記第２遊星歯車装置１６のキャリアＣ２と非回転部材である前記ハウジング２６との間に、そのキャリアＣ２のハウジング２６に対する一方向の回転を許容し且つ逆方向の回転を阻止する一方向クラッチ（ワンウェイクラッチ）ＯＷＣを、前記ブレーキＢＫと並列に備えた構成にも好適に適用される。図１７に示す駆動装置１３０、図１８に示す駆動装置１４０、図１９に示す駆動装置１５０のように、前記シングルピニオン型の第２遊星歯車装置１６の代替として、第２差動機構としてのダブルピニオン型の第２遊星歯車装置１６′を備えた構成にも好適に適用される。この第２遊星歯車装置１６′は、第１回転要素としてのサンギヤＳ２′、相互に噛み合わされた複数のピニオンギヤＰ２′を自転及び公転可能に支持する第２回転要素としてのキャリアＣ２′、及びピニオンギヤＰ２′を介してサンギヤＳ２′と噛み合う第３回転要素としてのリングギヤＲ２′を回転要素（要素）として備えたものである。図２０に示す駆動装置１６０のように、前記第１遊星歯車装置１４のサンギヤＳ１と、前記第２遊星歯車装置１６のサンギヤＳ２とが相互に連結され、前記第１遊星歯車装置１４のキャリアＣ１と前記第２遊星歯車装置１６のリングギヤＲ２とを選択的に係合させるクラッチＣＬと、そのリングギヤＲ２を前記ハウジング２６に対して選択的に係合させるブレーキＢＫとを、備え、前記第１遊星歯車装置１４のリングギヤＲ１が前記第１電動機ＭＧ１に連結され、前記第２遊星歯車装置１６のサンギヤＳ２（サンギヤＳ１）が前記第２電動機ＭＧ２に連結され、その第２遊星歯車装置１６のキャリアＣ２が前記出力歯車３０に連結され、前記第１遊星歯車装置１４のキャリアＣ１が前記エンジン１２に連結された構成にも、本発明のハイブリッド車両の駆動制御装置は好適に適用される。
【実施例３】
【００７０】
図２２〜図２４は、前記駆動装置１０の代替として、本発明が好適に適用される他のハイブリッド車両用駆動装置１７０、１８０、１９０の構成及び作動をそれぞれ説明する共線図である。図２２〜図２４では、前述した図４〜７等の共線図と同様に、前記第１遊星歯車装置１４におけるサンギヤＳ１、キャリアＣ１、リングギヤＲ１の相対的な回転速度を実線Ｌ１で、前記第２遊星歯車装置１６におけるサンギヤＳ２、キャリアＣ２、リングギヤＲ２の相対的な回転速度を破線Ｌ２でそれぞれ示している。図２２に示すハイブリッド車両用駆動装置１７０では、前記第１遊星歯車装置１４のサンギヤＳ１、キャリアＣ１、及びリングギヤＲ１は、前記第１電動機ＭＧ１、前記エンジン１２、及び前記第２電動機ＭＧ２にそれぞれ連結されている。前記第２遊星歯車装置１６のサンギヤＳ２、キャリアＣ２、及びリングギヤＲ２は、前記第２電動機ＭＧ２、前記出力歯車３０、及び前記ブレーキＢＫを介して前記ハウジング２６にそれぞれ連結されている。前記サンギヤＳ１とリングギヤＲ２とが前記クラッチＣＬを介して選択的に連結されている。前記リングギヤＲ１とサンギヤＳ２とが相互に連結されている。図２３に示すハイブリッド車両用駆動装置１８０では、前記第１遊星歯車装置１４のサンギヤＳ１、キャリアＣ１、及びリングギヤＲ１は、前記第１電動機ＭＧ１、前記出力歯車３０、及び前記エンジン１２にそれぞれ連結されている。前記第２遊星歯車装置１６のサンギヤＳ２、キャリアＣ２、及びリングギヤＲ２は、前記第２電動機ＭＧ２、前記出力歯車３０、及び前記ブレーキＢＫを介して前記ハウジング２６にそれぞれ連結されている。前記サンギヤＳ１と前記リングギヤＲ２とが前記クラッチＣＬを介して選択的に連結されている。前記クラッチＣ１及びＣ２が相互に連結されている。図２４に示すハイブリッド車両用駆動装置１９０では、前記第１遊星歯車装置１４のサンギヤＳ１、キャリアＣ１、及びリングギヤＲ１は、前記第１電動機ＭＧ１、前記出力歯車３０、及び前記エンジン１２にそれぞれ連結されている。前記第２遊星歯車装置１６のサンギヤＳ２、キャリアＣ２、及びリングギヤＲ２は、前記第２電動機ＭＧ２、前記ブレーキＢＫを介して前記ハウジング２６、及び前記出力歯車３０にそれぞれ連結されている。前記リングギヤＲ１とキャリアＣ２とがクラッチＣＬを介して選択的に連結されている。前記キャリアＣ１とリングギヤＲ２とが相互に連結されている。【００７１】
図２２〜図２４に示す実施例では、前述した図４〜７等に示す実施例と同様に、共線図上において４つの回転要素を有する（４つの回転要素として表現される）第１差動機構としての第１遊星歯車装置１４及び第２差動機構としての第２遊星歯車装置１６、１６′と、それら４つの回転要素にそれぞれ連結された第１電動機ＭＧ１、第２電動機ＭＧ２、エンジン１２、及び出力回転部材（出力歯車３０）とを、備え、前記４つの回転要素のうちの１つは、前記第１遊星歯車装置１４の回転要素と前記第２遊星歯車装置１６、１６′の回転要素とがクラッチＣＬを介して選択的に連結され、そのクラッチＣＬによる係合対象となる前記第２遊星歯車装置１６、１６′の回転要素が、非回転部材であるハウジング２６に対してブレーキＢＫを介して選択的に連結されるハイブリッド車両の駆動制御装置である点で、共通している。すなわち、図９等を用いて前述した本発明のハイブリッド車両の駆動制御装置は、図２２〜図２４に示す構成にも好適に適用される。【００７２】
このように、本実施例によれば、クラッチＣＬが係合された状態において全体として４つの回転要素を有する（図４〜図７等に示す共線図上において４つの回転要素として表される）第１差動機構である第１遊星歯車装置１４及び第２差動機構である第２遊星歯車装置１６、１６′と、それら４つの回転要素にそれぞれ連結されたエンジン１２、第１電動機ＭＧ１、第２電動機ＭＧ２、及び出力回転部材である出力歯車３０とを、備え、前記４つの回転要素のうちの１つは、前記第１差動機構の回転要素と前記第２差動機構の回転要素とがクラッチＣＬを介して選択的に連結され、そのクラッチＣＬによる係合対象となる前記第１差動機構又は前記第２差動機構の回転要素が、非回転部材であるハウジング２６に対してブレーキＢＫを介して選択的に連結され、前記クラッチＣＬ及びブレーキＢＫの係合乃至解放の組み合わせに応じて複数の走行モードを選択的に成立させるハイブリッド車両の駆動制御装置であって、前記第１電動機ＭＧ１又は第２電動機ＭＧ２のフェール時において、前記第１電動機ＭＧ１及び第２電動機ＭＧ２のうちフェールしていない方の電動機ＭＧにより走行用の駆動力を発生させる走行制御と、その電動機ＭＧにより駆動用バッテリである前記バッテリ５５の充電を行う充電制御とを、交互に繰り返すものであることから、前記第１電動機ＭＧ１又は第２電動機ＭＧ２にフェールが発生した場合においても十分な駆動力が得られることに加え、前記バッテリ５５の充電量を適宜確保できる。すなわち、電動機のフェール時における好適な退避走行を実現するハイブリッド車両の駆動制御装置としての前記電子制御装置４０を提供することができる。【００７３】
前記駆動装置１０等の構成においては、前記第１遊星歯車装置１４乃至第２遊星歯車装置１６により前記エンジン１２のトルクを十分に増幅できない。電動機のフェールの態様によっては前記エンジン１２の直達トルクを前記出力歯車３０に伝達させるためにフェールしていない方の電動機ＭＧにより反力をとる必要があり、フェールしていない方の電動機ＭＧのトルクと前記エンジン１２のトルクとを合わせて駆動力として出力させることができない。前記バッテリ５５の充電容量の制約等がある場合には高出力で前記エンジン１２を駆動できない。斯かる事情から、一方の電動機がフェールした場合における退避走行制御において、従来の技術による制御では退避走行時に駆動力が不足し、発進遅れが発生したり登坂が困難になる等のおそれがあったが、本実施例によれば斯かる不具合を好適に解消できる。【００７４】
前記バッテリ５５の充電量であるバッテリＳＯＣに応じて前記走行制御と前記充電制御とを切り替えるものであるため、フェールしていない方の電動機ＭＧにより走行用の駆動力を発生させる走行制御と、その電動機ＭＧにより前記バッテリ５５の充電を行う充電制御とを、実用的な態様で切り替えることができる。【００７５】
前記第１電動機ＭＧ１のフェール時において、前記バッテリ５５の充電量が規定の閾値ＳＯＣem未満である場合には、前記クラッチＣＬを係合させると共に前記ブレーキＢＫを解放させ、前記エンジン１２及び前記第２電動機ＭＧ２により前記バッテリ５５の充電を行うものであるため、前記第１電動機ＭＧ１のフェール時においてバッテリ５５の充電量が不足している場合に、その充電量を実用的な態様で好適に確保できる。【００７６】
前記第１電動機ＭＧ１のフェール時において、前記バッテリ５５の充電量が規定の閾値ＳＯＣem以上である場合には、前記クラッチＣＬを解放させると共に前記ブレーキＢＫを係合させ、前記第２電動機ＭＧ２により走行用の駆動力を発生させるものであるため、前記第１電動機ＭＧ１のフェール時における退避走行において、実用的な態様で十分な駆動力が得られる。【００７７】
前記第２電動機ＭＧ２のフェール時において、前記バッテリ５５の充電量が規定の閾値ＳＯＣem未満である場合には、前記クラッチＣＬ及びブレーキＢＫを共に解放させ、前記エンジン１２及び前記第１電動機ＭＧ１により前記バッテリ５５の充電を行うものであるため、前記第２電動機ＭＧ２のフェール時においてバッテリ５５の充電量が不足している場合に、その充電量を実用的な態様で好適に確保できる。【００７８】
前記第２電動機ＭＧ２のフェール時において、前記バッテリ５５の充電量が規定の閾値ＳＯＣem以上である場合には、前記クラッチＣＬ及びブレーキＢＫを共に係合させ、前記第１電動機ＭＧ１により走行用の駆動力を発生させるものであるため、前記第２電動機ＭＧ２のフェール時における退避走行において、実用的な態様で十分な駆動力が得られる。【００７９】
前記第１電動機ＭＧ１又は第２電動機ＭＧ２のフェール時には、車内表示装置６２に前記走行制御及び充電制御に係る指示情報を表示させるものであるため、前記第１電動機ＭＧ１又は第２電動機ＭＧ２にフェールが発生した場合において、運転者がとるべき操作等を好適に指示することができる。【００８０】
前記充電制御時には、停車して充電完了まで待機する旨の指示情報を前記車内表示装置６２に表示させるものであるため、前記第１電動機ＭＧ１又は第２電動機ＭＧ２にフェールが発生した場合において、前記バッテリ５５の充電量が不足している場合に運転者がとるべき操作等を好適に指示することができる。【００８１】
前記走行制御時には、車両の走行が可能である旨の指示情報を前記車内表示装置６２に表示させるものであるため、前記第１電動機ＭＧ１又は第２電動機ＭＧ２にフェールが発生した場合において、退避走行が可能である旨を好適に指示することができる。【００８２】
前記第１遊星歯車装置１４は、前記第１電動機ＭＧ１に連結された第１回転要素としてのサンギヤＳ１、前記エンジン１２に連結された第２回転要素としてのキャリアＣ１、及び前記出力歯車３０に連結された第３回転要素としてのリングギヤＲ１を備え、前記第２遊星歯車装置１６（１６′）は、前記第２電動機ＭＧ２に連結された第１回転要素としてのサンギヤＳ２（Ｓ２′）、第２回転要素としてのキャリアＣ２（Ｃ２′）、及び第３回転要素としてのリングギヤＲ２（Ｒ２′）を備え、それらキャリアＣ２（Ｃ２′）及びリングギヤＲ２（Ｒ２′）の何れか一方が前記第１遊星歯車装置１４のリングギヤＲ１に連結されたものであり、前記クラッチＣＬは、前記第１遊星歯車装置１４におけるキャリアＣ１と、前記キャリアＣ２（Ｃ２′）及びリングギヤＲ２（Ｒ２′）のうち前記リングギヤＲ１に連結されていない方の回転要素とを選択的に係合させるものであり、前記ブレーキＢＫは、前記キャリアＣ２（Ｃ２′）及びリングギヤＲ２（Ｒ２′）のうち前記リングギヤＲ１に連結されていない方の回転要素を、非回転部材であるハウジング２６に対して選択的に係合させるものであることから、実用的なハイブリッド車両の駆動装置１０等において、電動機のフェール時における好適な退避走行を実現することができる。【００８３】
以上、本発明の好適な実施例を図面に基づいて詳細に説明したが、本発明はこれに限定されるものではなく、その趣旨を逸脱しない範囲内において種々の変更が加えられて実施されるものである。
【符号の説明】
【００８４】
１０、１００、１１０、１２０、１３０、１４０、１５０、１６０、１７０、１８０、１９０：ハイブリッド車両用駆動装置、１２：エンジン、１４：第１遊星歯車装置（第１差動機構）、１６、１６′：第２遊星歯車装置（第２差動機構）、１８、２２：ステータ、２０、２４：ロータ、２６：ハウジング（非回転部材）、２８：入力軸、３０：出力歯車（出力回転部材）、３２：オイルポンプ、４０：電子制御装置（駆動制御装置）、４２：アクセル開度センサ、４４：エンジン回転速度センサ、４６：ＭＧ１回転速度センサ、４８：ＭＧ２回転速度センサ、５０：出力回転速度センサ、５２：車輪速センサ、５４：バッテリＳＯＣセンサ、５５：バッテリ（駆動用バッテリ）、５６：エンジン制御装置、５８：インバータ、６０：油圧制御回路、６２：車内表示装置、７０：電動機作動制御部、７２：クラッチ係合制御部、７４：ブレーキ係合制御部、７６：ＭＧ１フェール判定部、７８：ＭＧ２フェール判定部、８０：バッテリ充電量判定部、８２：退避走行制御部、８４：フェール時指示表示制御部、ＢＫ：ブレーキ、ＣＬ：クラッチ、Ｃ１、Ｃ２、Ｃ２′：キャリア（回転要素）、ＭＧ１：第１電動機、ＭＧ２：第２電動機、ＯＷＣ：一方向クラッチ、Ｐ１、Ｐ２、Ｐ２′：ピニオンギヤ、Ｒ１、Ｒ２、Ｒ２′：リングギヤ（回転要素）、Ｓ１、Ｓ２、Ｓ２′：サンギヤ（回転要素）
【図１】
2013140541.tif 000003
【図２】
2013140541.tif 000004
【図３】
2013140541.tif 000005
【図４】
2013140541.tif 000006
【図５】
2013140541.tif 000007
【図６】
2013140541.tif 000008
【図７】
2013140541.tif 000009
【図８】
2013140541.tif 000010
【図９】
2013140541.tif 000011
【図１０】
2013140541.tif 000012
【図１１】
2013140541.tif 000013
【図１２】
2013140541.tif 000014
【図１３】
2013140541.tif 000015
【図１４】
2013140541.tif 000016
【図１５】
2013140541.tif 000017
【図１６】
2013140541.tif 000018
【図１７】
2013140541.tif 000019
【図１８】
2013140541.tif 000020
【図１９】
2013140541.tif 000021
【図２０】
2013140541.tif 000022
【図２１】
2013140541.tif 000023
【図２２】
2013140541.tif 000024
【図２３】
2013140541.tif 000025
【図２４】
2013140541.tif 000026
【手続補正書】
【提出日】平成26年9月11日(2014.9.11)
【手続補正１】
【補正対象書類名】明細書
【補正対象項目名】００１７
【補正方法】変更
【補正の内容】
【００１７】
【図１】本発明が好適に適用されるハイブリッド車両用駆動装置の構成を説明する骨子図である。
【図２】図１の駆動装置の駆動を制御するために備えられた制御系統の要部を説明する図である。
【図３】図１の駆動装置において成立させられる５種類の走行モードそれぞれにおけるクラッチ及びブレーキの係合状態を示す係合表である。
【図４】図１の駆動装置において各回転要素の回転速度の相対関係を直線上で表すことができる共線図であり、図３のモード１、３に対応する図である。
【図５】図１の駆動装置において各回転要素の回転速度の相対関係を直線上で表すことができる共線図であり、図３のモード２に対応する図である。
【図６】図１の駆動装置において各回転要素の回転速度の相対関係を直線上で表すことができる共線図であり、図３のモード４に対応する図である。
【図７】図１の駆動装置において各回転要素の回転速度の相対関係を直線上で表すことができる共線図であり、図３のモード５に対応する図である。
【図８】図２の電子制御装置に備えられた制御機能の要部を説明する機能ブロック線図である。
【図９】図１の駆動装置において各回転要素の回転速度の相対関係を直線上で表すことができる共線図であり、第１電動機フェール時の充電制御に相当する。
【図１０】図１の駆動装置において各回転要素の回転速度の相対関係を直線上で表すことができる共線図であり、第１電動機フェール時の走行制御に相当する。
【図１１】図１の駆動装置において各回転要素の回転速度の相対関係を直線上で表すことができる共線図であり、第２電動機フェール時の充電制御に相当する。
【図１２】図１の駆動装置において各回転要素の回転速度の相対関係を直線上で表すことができる共線図であり、第２電動機フェール時の走行制御に相当する。
【図１３】図２の電子制御装置による退避走行制御の一例の要部を説明するフローチャートである。
【図１４】本発明が好適に適用される他のハイブリッド車両用駆動装置の構成を説明する骨子図である。
【図１５】本発明が好適に適用される更に別のハイブリッド車両用駆動装置の構成を説明する骨子図である。
【図１６】本発明が好適に適用される更に別のハイブリッド車両用駆動装置の構成を説明する骨子図である。
【図１７】本発明が好適に適用される更に別のハイブリッド車両用駆動装置の構成を説明する骨子図である。
【図１８】本発明が好適に適用される更に別のハイブリッド車両用駆動装置の構成を説明する骨子図である。
【図１９】本発明が好適に適用される更に別のハイブリッド車両用駆動装置の構成を説明する骨子図である。
【図２０】本発明が好適に適用される更に別のハイブリッド車両用駆動装置の構成を説明する骨子図である。
【図２１】図２の電子制御装置による退避走行制御の他の一例の要部を説明するフローチャートである。
【図２２】本発明が好適に適用される更に別のハイブリッド車両用駆動装置の構成及び作動をそれぞれ説明する共線図である。
【図２３】本発明が好適に適用される更に別のハイブリッド車両用駆動装置の構成及び作動をそれぞれ説明する共線図である。
【図２４】本発明が好適に適用される更に別のハイブリッド車両用駆動装置の構成及び作動をそれぞれ説明する共線図である。
【手続補正２】
【補正対象書類名】明細書
【補正対象項目名】００２９
【補正方法】変更
【補正の内容】
【００２９】
図１に示すように、前記駆動装置１０において、前記第１遊星歯車装置１４及び第２遊星歯車装置１６は、それぞれ前記入力軸２８と同軸上（中心軸ＣＥ上）に配置されており、且つ、前記中心軸ＣＥの軸方向において対向する位置に配置されている。すなわち、前記中心軸ＣＥの軸方向に関して、前記第１遊星歯車装置１４は、前記第２遊星歯車装置１６に対して前記エンジン１２側に配置されている。前記中心軸ＣＥの軸方向に関して、前記第１電動機ＭＧ１は、前記第１遊星歯車装置１４に対して前記エンジン１２側に配置されている。前記中心軸ＣＥの軸方向に関して、前記第２電動機ＭＧ２は、前記第２遊星歯車装置１６に対して前記エンジン１２の反対側に配置されている。すなわち、前記第１電動機ＭＧ１、第２電動機ＭＧ２は、前記中心軸ＣＥの軸方向に関して、前記第１遊星歯車装置１４及び第２遊星歯車装置１６を間に挟んで対向する位置に配置されている。すなわち、前記駆動装置１０においては、前記中心軸ＣＥの軸方向において、前記エンジン１２側から前記第１電動機ＭＧ１、第１遊星歯車装置１４、クラッチＣＬ、第２遊星歯車装置１６、ブレーキＢＫ、第２電動機ＭＧ２の順でそれらの構成が同軸上に配置されている。
【手続補正３】
【補正対象書類名】明細書
【補正対象項目名】００５１
【補正方法】変更
【補正の内容】
【００５１】
ＭＧ２フェール判定部７８は、前記第２電動機ＭＧ２のフェールを判定する。すなわち、前記第２電動機ＭＧ２の正常の作動を不可能とする故障の発生の有無を判定する。例えば、前記電動機作動制御部７０による前記第２電動機ＭＧ２の出力を定める指令値と、前記ＭＧ２回転速度センサ４８により検出される第２電動機回転速度ＮMG2との乖離に基づいて前記第２電動機ＭＧ２における故障の有無を判定する。具体的には、前記電動機作動制御部７０による前記第２電動機ＭＧ２の出力を定める指令値と、前記ＭＧ２回転速度センサ４８により検出される第２電動機回転速度ＮMG2との乖離が規定値以上となった場合に前記第２電動機ＭＧ２におけるフェールの発生を判定する。例えば、前記電動機作動制御部７０による前記第２電動機ＭＧ２の出力を定める指令値が所定速度に対応する値であるのに対して、前記ＭＧ２回転速度センサ４８により検出される第２電動機回転速度ＮMG2が零である場合には、前記第２電動機ＭＧ２の焼き付き等によるロック故障を判定する。
【手続補正４】
【補正対象書類名】明細書
【補正対象項目名】００５５
【補正方法】変更
【補正の内容】
【００５５】
図９は、前記第１電動機ＭＧ１フェール時の充電制御について説明する共線図であり、前記出力歯車３０（リングギヤＲ１及びＲ２）に対応する縦線Ｙ４（Ｙ４′）を中央に、前記第１差動機構１４における各回転要素に対応する縦線Ｙ１及びＹ３を紙面向かって右側に、前記第２差動機構１６における各回転要素に対応する縦線Ｙ２及びＹ３′を紙面向かって左側にそれぞれ展開して示している（図１０〜図１２について同じ）。前記クラッチＣＬにより前記キャリアＣ１、Ｃ２が係合された状態（回転速度）を一点鎖線Ｘ２で示している。この図９に示すように、車両停止時すなわち前記出力歯車３０（リングギヤＲ１、Ｒ２）の回転速度が零であり、且つ、前記クラッチＣＬが係合されると共に前記ブレーキＢＫが解放された状態においては、前記エンジン１２の駆動により前記キャリアＣ１（クラッチＣＬにより係合されたキャリアＣ２）が回転させられることで前記第２電動機ＭＧ２による発電が行われる。この第２電動機ＭＧ２により発電された電気エネルギが前記バッテリ５５に供給されることで、そのバッテリ５５の充電が行われる。
【手続補正５】
【補正対象書類名】明細書
【補正対象項目名】００７０
【補正方法】変更
【補正の内容】
【００７０】
図２２〜図２４は、前記駆動装置１０の代替として、本発明が好適に適用される他のハイブリッド車両用駆動装置１７０、１８０、１９０の構成及び作動をそれぞれ説明する共線図である。図２２〜図２４では、前述した図４〜７等の共線図と同様に、前記第１遊星歯車装置１４におけるサンギヤＳ１、キャリアＣ１、リングギヤＲ１の相対的な回転速度を実線Ｌ１で、前記第２遊星歯車装置１６におけるサンギヤＳ２、キャリアＣ２、リングギヤＲ２の相対的な回転速度を破線Ｌ２でそれぞれ示している。図２２に示すハイブリッド車両用駆動装置１７０では、前記第１遊星歯車装置１４のサンギヤＳ１、キャリアＣ１、及びリングギヤＲ１は、前記第１電動機ＭＧ１、前記エンジン１２、及び前記第２電動機ＭＧ２にそれぞれ連結されている。前記第２遊星歯車装置１６のサンギヤＳ２、キャリアＣ２、及びリングギヤＲ２は、前記第２電動機ＭＧ２、前記出力歯車３０、及び前記ブレーキＢＫを介して前記ハウジング２６にそれぞれ連結されている。前記サンギヤＳ１とリングギヤＲ２とが前記クラッチＣＬを介して選択的に連結されている。前記リングギヤＲ１とサンギヤＳ２とが相互に連結されている。図２３に示すハイブリッド車両用駆動装置１８０では、前記第１遊星歯車装置１４のサンギヤＳ１、キャリアＣ１、及びリングギヤＲ１は、前記第１電動機ＭＧ１、前記出力歯車３０、及び前記エンジン１２にそれぞれ連結されている。前記第２遊星歯車装置１６のサンギヤＳ２、キャリアＣ２、及びリングギヤＲ２は、前記第２電動機ＭＧ２、前記出力歯車３０、及び前記ブレーキＢＫを介して前記ハウジング２６にそれぞれ連結されている。前記サンギヤＳ１と前記リングギヤＲ２とが前記クラッチＣＬを介して選択的に連結されている。前記キャリアＣ１及びＣ２が相互に連結されている。図２４に示すハイブリッド車両用駆動装置１９０では、前記第１遊星歯車装置１４のサンギヤＳ１、キャリアＣ１、及びリングギヤＲ１は、前記第１電動機ＭＧ１、前記出力歯車３０、及び前記エンジン１２にそれぞれ連結されている。前記第２遊星歯車装置１６のサンギヤＳ２、キャリアＣ２、及びリングギヤＲ２は、前記第２電動機ＭＧ２、前記ブレーキＢＫを介して前記ハウジング２６、及び前記出力歯車３０にそれぞれ連結されている。前記リングギヤＲ１とキャリアＣ２とがクラッチＣＬを介して選択的に連結されている。前記キャリアＣ１とリングギヤＲ２とが相互に連結されている。
【国際調査報告】
2013140541.tif 000027
2013140541.tif 000028
2013140541.tif 000029
2013140541.tif 000030